【手続補正書】
【提出日】平成24年10月5日(2012.10.5)
【手続補正１】
【補正対象書類名】特許請求の範囲
【補正対象項目名】全文
【補正方法】変更
【補正の内容】
【特許請求の範囲】
【請求項１】
凹部を含む外部表面を持つハウジング、吸気ポート、ガスの流れを生成する流れ生成器、前記ハウジングからのガスの流れを放出する排出口、及びガスの流れに関して複数のパラメータを監視する複数のセンサを含む、ベンチレータのためのポートブロックであって、前記ベンチレータは、複数の動作モードから動作可能であり、前記ポートブロックは、前記ベンチレータの動作モードの所望の一つに対応する複数の異なる設定の１つにセンサを設定するために、前記凹部で又はその周りで前記ベンチレータの前記ハウジングに選択的に結合される着脱可能なルーティング要素と、前記着脱可能なルーティング要素を前記ベンチレータの前記ハウジングに固定する締結機構とを有し、前記着脱可能なルーティング要素が、第１の側部と、第１の側部の反対側に配置されている第２の側部とを有し、前記着脱可能なルーティング要素が前記ハウジングに結合されるとき、前記着脱可能なルーティング要素の第２の側部が、前記凹部に隣接して、前記ベンチレータの前記ハウジングの前記外部表面に関して実質的に同じ高さである、ポートブロック。
【請求項２】
前記ベンチレータの前記センサが複数のプローブを含み、前記着脱可能なルーティング要素が、第１の端部、第１の端部の反対側で遠位に配置されている第２の端部、及び第１の側部から第２の側部へ延在する複数の通路を更に有し、前記着脱可能なルーティング要素が前記ベンチレータの前記ハウジングに結合されるとき、前記複数の通路は、前記センサの前記既定の設定の一つを確立するため前記プローブと協働する、請求項１に記載のポートブロック。
【請求項３】
前記着脱可能なルーティング要素は、更に、前記着脱可能なルーティング要素の第１の端部と前記着脱可能なルーティング要素の第２の端部との間であって、前記着脱可能なルーティング要素の第２の側部で、又はその周りに配置されたフィンガタブを有し、前記フィンガタブが、前記ベンチレータの前記ハウジングの前記凹部から前記着脱可能なルーティング要素の取り外しを容易にする、請求項２に記載のポートブロック。
【請求項４】
前記ベンチレータの前記ハウジングが少なくとも一つの開口部を持つ外部表面を含み、前記着脱可能なルーティング要素は、前記着脱可能なルーティング要素の第１の側から外向きに延在する少なくとも一つの突起を更に有し、前記着脱可能なルーティング要素が前記ベンチレータの前記ハウジングに結合されるとき、前記少なくとも一つの突起が、前記少なくとも一つの開口部の対応する一つの開口部内に配置される、請求項２に記載のポートブロック。
【請求項５】
前記少なくとも一つの突起が第１の突起及び第２の突起であり、前記ベンチレータの前記ハウジングの前記外部表面の前記少なくとも一つの開口部は第１の開口部及び第２の開口部であり、前記プローブは、第１の開口部に又はその周りにアクセス可能である少なくとも第１のプローブと、第２の開口部に又はその周りにアクセス可能である少なくとも第２のプローブとを含み、前記着脱可能なルーティング要素の前記複数の通路が、第１の突起の少なくとも一部を通って延在する第１の通路と、第２の突起の少なくとも一部を通って延在する第２の通路とを有し、前記着脱可能なルーティング要素が前記ベンチレータの前記ハウジングに結合されるとき、第１の突起は、第１のプローブが第１の通路と協働するため第１の開口部内に配置され、第２の突起は、第２のプローブが第２の通路と協働するため第２の開口部内に配置される、請求項４に記載のポートブロック。
【請求項６】
前記着脱可能なルーティング要素は、通路の異なるアレンジメントを持つ他の着脱可能なルーティング要素と交換可能であり、前記着脱可能なルーティング要素の交換に応じて、前記センサは、前記ベンチレータの前記動作モードの異なる一つの動作モードに対応する既定の設定の他の設定に再設定される、請求項２に記載のポートブロック。
【請求項７】
凹部を含む外部表面を持つハウジング、吸気ポート、ガスの流れを生成する流れ生成器、及び前記ハウジングからのガスの流れを放出する排出口を含む、ベンチレータのためのポートシステムであって、前記ベンチレータは、複数の異なるモードで動作可能であり、前記ポートシステムは、
（ａ）ガスの流れに関して複数のパラメータを監視する複数のセンサ、及び
（ｂ）請求項１乃至６の何れか一項に記載の複数のポートブロックを
有する、ポートシステム。
【請求項８】
前記ベンチレータの動作モードは、第１のモード、第２のモード及び第３のモードを有し、前記センサの前記既定の構成は、第１のモードに対応する第１の構成、第２のモードに対応する第２の構成、及び第３のモードに対応する第３の構成を有し、交換可能なポートブロックは、第１の着脱可能なルーティング要素を持つ第１のポートブロック、第２の着脱可能なルーティング要素を持つ第２のポートブロック、及び第３の着脱可能なルーティング要素を持つ第３のポートブロックを有し、前記ベンチレータが第１のモードで動作されるとき、第１の着脱可能なルーティング要素が前記ベンチレータの前記ハウジングに結合され、前記ベンチレータが第２のモードで動作されるとき、第２の着脱可能なルーティング要素が前記ベンチレータの前記ハウジングに結合され、前記ベンチレータが第３のモードで動作されるとき、第３の着脱可能なルーティング要素が前記ベンチレータの前記ハウジングに結合される、請求項７に記載のポートシステム。
【請求項９】
前記複数の通路が第１の着脱可能なルーティング要素、第２の着脱可能なルーティング要素及び第３の着脱可能なルーティング要素各々に対して異なり、第１の着脱可能なルーティング要素が前記ベンチレータの前記ハウジングに結合されるとき、第１の着脱可能なルーティング要素の通路は、前記センサの第１の設定を確立するために対応する数のプローブと協働し、第２の着脱可能なルーティング要素が前記ベンチレータの前記ハウジングに結合されるとき、第２の着脱可能なルーティング要素の通路は、前記センサの第２の設定を確立するために対応する数のプローブと協働し、第３の着脱可能なルーティング要素が前記ベンチレータの前記ハウジングに結合されるとき、第３の着脱可能なルーティング要素の通路は、前記センサの第３の設定を確立するために対応する数のプローブと協働する、請求項８に記載のポートシステム。
【請求項１０】
前記センサが、機械的流量センサ、近位の圧力センサ、及びモニタ流量センサを含み、前記機械的流量センサは、第１の機械的流量プローブ及び第２の機械的流量プローブを含み、前記近位の圧力センサは、少なくとも一つの近位の流量プローブを含み、前記モニタ流量センサは、第１のモニタ流量プローブ及び第２のモニタ流量プローブを含み、第１の着脱可能なルーティング要素の通路、第２の着脱可能なルーティング要素の通路及び第３の着脱可能なルーティング要素の通路は、当該通路を通るガスの流れを許容する複数の能動的通路と、当該通路を通るガスの流れに抵抗する１又は複数の非能動的通路とを有する、請求項９に記載のポートシステム。
【請求項１１】
前記少なくとも一つの近位の圧力プローブが単一の近位の圧力プローブであり、第１の着脱可能なルーティング要素の通路が、第１の能動的通路、第２の能動的通路、第３の能動的通路、第４の能動的通路及び第５の能動的通路を含み、前記ベンチレータが第１のモードに従って動作され、第１の着脱可能なルーティング要素が前記ベンチレータの前記ハウジングに結合されるとき、第１の能動的通路は、第１の機械的流量プローブを第１のモニタ流量プローブに接続するために第２の能動的通路と協働し、第３の能動的通路は単一の近位の圧力プローブを外気に接触させ、第４の能動的通路は、第２の機械的流量プローブを第２のモニタ流量プローブに接続するために第５の能動的通路と協働する、請求項１０に記載のポートシステム。
【請求項１２】
前記ベンチレータは、更に、ガスの流れを患者の気道に送る患者インタフェースを含み、前記少なくとも一つの近位の圧力プローブは、前記近位の圧力センサに接続されている第１の近位の圧力プローブ及び前記患者インタフェースに接続されている第２の近位の圧力プローブであり、第２の着脱可能なルーティング要素の前記通路は、第１の能動的通路、第２の能動的通路、第３の能動的通路、第４の能動的通路及び第５の能動的通路を含み、前記ベンチレータが第２のモードに従って動作され、第２の着脱可能なルーティング要素が前記ベンチレータの前記ハウジングに結合されるとき、第１の能動的通路は第１の機械的流量プローブを第１のモニタ流量プローブに接続するために第２の能動的通路と協働し、第３の能動的通路が、第１の近位の圧力プローブを第２の近位の圧力プローブに接続し、第４の能動的通路は、第２の機械的流量プローブを第２のモニタ流量プローブに接続するために、第５の能動的通路と協働する、請求項１０に記載のポートシステム。
【請求項１３】
前記ベンチレータが、更に、ガスの流れを患者の気道に送る患者インタフェースと、前記患者インタフェースと協働する能動的呼気バルブと、能動的呼気コントローラとを含み、前記能動的呼気コントローラが少なくとも一つの能動的呼気コントローラプローブを含み、前記能動的呼気バルブが少なくとも一つの能動的呼気バルブプローブを含み、前記少なくとも一つの近位の圧力プローブが、前記近位の圧力センサに接続されている第１の近位の圧力プローブ、前記患者インタフェースに接続されている第２の近位の圧力プローブ、前記患者インタフェースに接続されている第３の近位の圧力プローブ、及び前記患者インタフェースに接続されている第４の近位の圧力プローブであり、第３の着脱可能なルーティング要素の前記通路が第１の能動的通路、第２の能動的通路、第３の能動的通路、第４の能動的通路、第１の非能動的通路及び第２の非能動的を含み、前記ベンチレータが第３のモードに従って動作され、第３の着脱可能なルーティング要素が前記ベンチレータの前記ハウジングに結合されるとき、第１の能動的通路は第１のモニタ流量プローブを第２の近位の圧力プローブに接続し、第２の能動的通路は第１の近位の圧力プローブを第４の近位の圧力プローブに接続し、第３の能動的通路は第２のモニタ流量プローブを第３の近位の圧力プローブに接続し、第４の能動的通路は前記少なくとも一つの能動的呼気コントローラプローブを前記少なくとも一つの能動的呼気バルブプローブに接続し、第１の機械的流量プローブは第１の非能動的通路に接続され、第２の機械的流量プローブは第２の非能動的通路に接続される、請求項１０に記載のポートシステム。
【請求項１４】
（ａ）内部と外部表面を持つ外部とを持つハウジングと、
（ｂ）前記外部から前記ハウジングの前記内部へ延在する吸気ポートと、
（ｃ）前記内部に配置され、ガスの流れを生成する流れ生成器と、
（ｄ）前記ハウジングからガスの流れを放出するための排出口と、
（ｅ）ガスの流れに関する複数のパラメータを監視するための複数のセンサと、
（ｆ）請求項１乃至６の何れか一項に記載の複数のポートブロックとを有するベンチレータ。
【請求項１５】
（ａ）ガスの流れを生成する流れ生成器と、ガスの流れに関する複数のパラメータを監視するための複数のセンサとをハウジングを持つベンチレータに供給するステップであって、前記ベンチレータが複数の動作モードを持ち、前記センサが前記ベンチレータの動作モードに対応する複数の異なる既定の設定に設定可能である当該ステップと、
（ｂ）請求項１乃至６の何れか一項に記載の複数のポートブロックを供給するステップと、
（ｃ）前記ベンチレータの動作モードの１つのモードを選択するステップと、
（ｄ）前記ベンチレータの選択された動作モードに対応するポートブロックを前記複数のポートブロックから選択するステップと、
（ｅ）前記ベンチレータの選択された動作モードに対応する既定の設定に前記センサを設定するために、選択されたポートブロックの着脱可能なルーティング要素を前記ベンチレータの前記ハウジングに取付けるステップとを有する、ベンチレータを動作させる方法。